(57)【要約】【課題】筐体外に漏れる不要電磁波を抑制するとともに、カードの挿抜性を向上させた電子機器を得る。【解決手段】電子機器１は、筐体４と、筐体４内に実装されるとともに、不要電磁波を放出する電磁波放出部品２６と、筐体４内に実装されるとともに、カード３１の一端部３１ａが差し込まれる差込口２８を備えたカードスロット２２とを具備する。筐体４は、差込口２８を筐体４の外部に露出させる開口部４７と、この開口部４７の縁４７ａからカード３１の挿抜方向に沿って延びるガイド壁部４２を備える。このガイド壁部４２は、カード３１を差込口２８に向いて案内する表面４２ｂと、筐体４内に露出されるとともに導電層９が設けられた内面４２ａとを有する。【選択図】      図４
2008276518.tif 000002
【特許請求の範囲】
【請求項１】
筐体と、
上記筐体内に実装されるとともに、不要電磁波を放出する電磁波放出部品と、
上記筐体内に実装されるとともに、カードの一端部が差し込まれる差込口を備えたカードスロットと、を具備し、
上記カードスロットは、上記筐体の壁面に沿って配置され、
上記筐体は、上記カードスロットを覆う第１の壁部と、この第１の壁部の隣において上記第１の壁部よりも該筐体の内側に設けられ、上記第１の壁部との間に上記差込口に対向するスリットを形成するとともに上記カードの挿抜方向に沿って延びる第２の壁部とを備え、この第２の壁部は、上記カードを支持する表面と、上記筐体内に露出されるとともに導電層が設けられた内面とを有することを特徴とする電子機器。
【請求項２】
請求項１に記載の電子機器において、
上記第１の壁部と上記第２の壁部とは互いに略平行に延びるとともに、上記スリットは、上記第１の壁部と上記第２の壁部との段差によって形成されていることを特徴とする電子機器。
【請求項３】
請求項２に記載の電子機器において、
上記カードは弾性を有し、
上記第２の壁部には、上記差込口から離れる方向に進むに従い上記筐体の外側に盛り上がる傾斜部が設けられていることを特徴とする電子機器。
【請求項４】
請求項３に記載の電子機器において、
上記傾斜部は、上記差込口とは反対側の上記第２の壁部の端部において、上記差込口に差し込まれたカードを外れる領域に設けられていることを特徴とする電子機器。
【請求項５】
請求項３に記載の電子機器において、
上記傾斜部は、上記差込口に差し込まれたカードに重なる領域に設けられていることを特徴とする電子機器。
【請求項６】
請求項２に記載の電子機器において、
上記筐体は、該筐体の外壁の一部を形成するとともに、上記第１の壁部とは反対側から上記第２の壁部に隣接する第３の壁部を有し、この第３の壁部は、上記カードの挿抜方向に沿って延びており、上記第２の壁部の表面は、上記第３の壁部の表面に同一平面状に連なることを特徴とする電子機器。
【請求項７】
請求項２に記載の電子機器において、
上記筐体に着脱自在に取り付けられ、上記第２の壁部とは反対側から上記カードおよび上記スリットを覆う蓋部材を備えたことを特徴とする電子機器。
【請求項８】
筐体と、
上記筐体内に実装されるとともに、不要電磁波を放出する電磁波放出部品と、
上記筐体内に実装されるとともに、カードの一端部が差し込まれる差込口を備えたカードスロットと、を具備し、
上記筐体は、上記差込口を該筐体の外部に露出させる開口部と、この開口部の縁から上記カードの挿抜方向に沿って延びるガイド壁部とを備え、このガイド壁部は、上記カードを上記差込口に向いて案内する表面と、上記筐体内に露出されるとともに導電層が設けられた内面とを有することを特徴とする電子機器。
【発明の詳細な説明】
【技術分野】
【０００１】
本発明は、カードスロットを備えた電子機器に関する。
【背景技術】
【０００２】
近年の電子機器は、その筐体内に例えばＢ−ＣＡＳ（登録商標）（BS Conditional Access Systems）カードのようなカードが装着されるカードスロットを実装している。電子機器の筐体には、カードを着脱するために、カードスロットを筐体の外部に露出させる開口部が設けられている。
【０００３】
特許文献１には、データメモカードが着脱自在に装着される装着部を備えたデータ入力装置が開示されている。このデータ入力装置の装着部は、データメモカードのキーを外部から操作するための開口部を有する。この開口部は、カードの該形に相当する大きさを有する。データメモカードは、上記開口部を通じて装着部に装着される。
【特許文献１】特開平３−２２４３５２号公報
【発明の開示】
【発明が解決しようとする課題】
【０００４】
電子機器の筐体内に不要電磁波を放出する電子部品が実装されている場合、例えば特許文献１に記載のような大きな開口部が設けられていると、不要電磁波がその開口部から筐体の外部に漏れやすい。
【０００５】
また、特許文献１に記載のカードは、まずその一端部を開口部の周縁の裏側に差し込み、次いで他端部を開口部の反対側の周縁の裏側に差し込むことで装着部に装着される。このような装着部によれば、カードの挿抜時にカードの姿勢が安定しにくく、カードの挿抜性の観点から改良の余地がある。
【０００６】
本発明の目的は、筐体外に漏れる不要電磁波を抑制するとともに、カードの挿抜性を向上させた電子機器を得ることにある。
【課題を解決するための手段】
【０００７】
上記目的を達成するため、本発明の一つの形態に係る電子機器は、筐体と、上記筐体内に実装されるとともに、不要電磁波を放出する電磁波放出部品と、上記筐体内に実装されるとともに、カードの一端部が差し込まれる差込口を備えたカードスロットとを具備する。上記筐体は、上記差込口を該筐体の外部に露出させる開口部と、この開口部の縁から上記カードの挿抜方向に沿って延びるガイド壁部とを備える。このガイド壁部は、上記カードを上記差込口に向いて案内する表面と、上記筐体内に露出されるとともに導電層が設けられた内面とを有する。
【発明の効果】
【０００８】
この構成によれば、筐体外に漏れる不要電磁波を抑制するとともに、カードの挿抜性が向上する。
【発明を実施するための最良の形態】
【０００９】
以下に本発明の実施の形態を、ポータブルコンピュータに適用した図面に基づいて説明する。図１ないし図５は、本発明の第１の実施形態に係る電子機器としてのポータブルコンピュータ１を開示している。図１に示すように、ポータブルコンピュータ１は、本体２と表示ユニット３とを備えている。
【００１０】
本体２は、箱状に形成された筐体４を有する。筐体４は、上壁４ａ、周壁４ｂ、および下壁４ｃを有する。上壁４ａは、キーボード５を支持している。筐体４は、第１のケース部材である筐体カバー６と、第２のケース部材である筐体ベース７とを有する。筐体カバー６は、上壁４ａを含む。筐体ベース７は、下壁４ｃを含む。筐体カバー６は、筐体ベース７に対して上方から組み合わされ、筐体ベース７との間に収容空間Ｓを形成している。
【００１１】
図３に示すように、筐体カバー６は、収容空間Ｓに露出されたカバー内面６ａを有する。筐体ベース７は、収容空間Ｓに露出されたベース内面７ａを有する。カバー内面６ａおよびベース内面７ａには、それぞれ導電層９が設けられている。導電層９は、電磁波対策の一環として設けられたものであり、例えばカバー内面６ａおよびベース内面７ａに導電塗層やメッキを施すことで形成されている。ただし導電層９はこれらに限らず、例えば薄く引き延ばしたアルミニウムや銅のような金属箔を張り付けることで形成してもよい。
【００１２】
図１に示すように、表示ユニット３は、ディスプレイハウジング１１と、このディスプレイハウジング１１に収容された液晶表示モジュール１２とを備えている。液晶表示モジュール１２は、表示画面１２ａを有する。表示画面１２ａは、ディスプレイハウジング１１の前面の開口部１１ａを通じてディスプレイハウジング１１の外部に露出している。
【００１３】
表示ユニット３は、筐体４の後端部に一対のヒンジ部１３ａ，１３ｂを介して支持されている。そのため、表示ユニット３は、上壁４ａを上方から覆うように倒される閉じ位置と、上壁４ａを露出させるように起立する開き位置との間で回動可能である。
【００１４】
図３に示すように、筐体４の収容空間Ｓには、プリント回路板２１、カードスロット２２、およびカードスロット基板２３が収容されている。カードスロット２２は、カードスロット基板２３に実装されている。プリント回路板２１は、プリント配線板２５に実装された種々の電子部品２６を含む。プリント回路板２１は、使用中に不要な電磁波を放出する電磁波放出部品の一例を構成する。また、種々の電子部品２６はそれら単体でも、それぞれ電磁波放出部品の一例を構成する。なお本発明でいう電磁波放出部品はこれらに限らず、例えば各種ケーブルや電源回りの部品などでもよい。
【００１５】
図２および図３に示すように、カードスロット２２は、例えば扁平な矩形状に形成されるとともに、筐体ベース７の下壁４ｃの壁面に沿って配置されている。カードスロット２２の一例は、Ｂ−ＣＡＳカードに対応したものである。ただしカードスロット２２の種類はこれに限定されるものではなく、種々のスマートカード用や種々のメモリカード用のカードスロットでもよい。
【００１６】
カードスロット２２は、比較的面積の大きな面を下壁４ｃに沿わせて、下壁４ｃと平行に配置されている。カードスロット２２は、カードスロット基板２３に実装された面とは反対側の面を下壁４ｃに対向させている。これにより、カードスロット２２をより下壁４ｃの近くに配置することができる。カードスロット２２は、側面２２ａに開口した差込口２８を備える。差込口２８は、下壁４ｃの延伸方向と平行な方向を向いて開口している。
【００１７】
図４に示すように、この差込口２８にはカード３１の一端部３１ａが差し込まれる。なおカード３１は、その全てが差込口２８に差し込まれるわけではなく、カードスロット２２の外部に飛び出した状態で放置される未挿入部分３１ｂを有する。
【００１８】
カードスロット２２に差し込まれるカード３１としては、前述のＢ−ＣＡＳカードが一例であるが、カード３１の種類はこれに限定されるものではなく、例えばセキュリティー用のカードや、種々のスマートカード、或いは種々のメモリカードであってもよい。なお、本実施形態に係るカード３１は、必ずしも弾性を必要とせず、大きな剛性を有するものでもよい。
【００１９】
図２に示すように、筐体４の下壁４ｃは、第１ないし第３の壁部４１，４２，４３を備える。図３に示すように、第１の壁部４１は、カードスロット２２に対向する領域に設けられ、筐体カバー６とは反対側からカードスロット２２を覆っている。第１の壁部４１は、下壁４ｃの他の領域に比べて筐体外側に膨らむように形成されている。カードスロット２２は、この筐体外側に膨らんだ第１の壁部４１の内面４１ａに固定されている。これにより、カードスロット２２の差込口２８は、下壁４ｃの第２の壁部４２よりも筐体外側に位置するようになる。換言すれば、差込口２８が第２の壁部４２よりも筐体外側に位置するように、第１の壁部４１を敢えて筐体外側に膨らませている。
【００２０】
図２に示すように下壁４ｃは、差込口２８の手前側（すなわちカード３１の抜出側）に、カード導入部である第２の壁部４２を備えている。ガイド壁部である第２の壁部４２は、カード３１を差込口２８に向けて案内するガイドとしての機能と、電磁波放出部品が放出する電磁波を筐体４内に封じるシールドとしての機能とを併せもつ。
【００２１】
図２および図３に示すように、第２の壁部４２は、第１の壁部４１の隣において、カード３１の挿抜方向に沿って延びており、第１の壁部４１と略平行を成す。第２の壁部４２の幅Ｗ１は、例えばカード３１の幅Ｗ２と略同じ程度である。図４に示すように、第２の壁部４２は、差込口２８に差し込まれたカード３１の未挿入部分３１ｂの後端部３１ｃ（すなわち差込口２８に差し込まれる端部とは反対側の端部）に対向する領域を超えて延びている。
【００２２】
図３に示すように、第２の壁部４２は、第１の壁部４１に対して段差を有し、第１の壁部４１よりも筐体内側に入り込んでいる。さらに言えば、第２の壁部４２は、カードスロット２２よりも筐体内側に設けられている。第２の壁部４２は、蓋部材４５が取り外されたときに筐体４の外部に露出される表面４２ｂと、この表面４２ｂの裏側に形成されるとともに筐体４の収容空間Ｓに露出された内面４２ａを有する。
【００２３】
第２の壁部４２の表面４２ｂは、例えば差込口２８に近付く方向に進むに従い筐体内側にわずかに入り込む緩やかな傾斜面を有する。表面４２ｂがわずかに傾斜していると、下壁４ｃの他の領域に対して第２の壁部４２の領域が明確に区画され、ユーザーはカード３１を第２の壁部４２に合わせやすい。なお表面４２ｂは必ず傾斜している必要はない。第２の壁部４２の内面４２ａには、ベース内面７ａの他の領域と一体に導電層９が設けられている。
【００２４】
第１の壁部４１と第２の壁部４２との境界部分には、第１の壁部４１と第２の壁部４２との段差によってスリット４７が形成されている。詳しくは、スリット４７は、収容空間Ｓに露出された第１の壁部４１の内面４１ａと、上記の第２の壁部４２の表面４２ｂとの間に形成されている。換言すれば、第２の壁部４２の表面４２ｂは、スリット４７の筐体内側の縁４７ａからカード３１の挿抜方向に沿って延びている。
【００２５】
スリット４７は、下壁４ｃに沿う方向に向いて開口するとともに、カードスロット２２の差込口２８に対向している。スリット４７は、差込口２８を筐体４の外部に露出させる開口部である。第２の壁部４２の表面４２ｂは、カードスロット２２の差込口２８の筐体内側の縁２８ａに向いて延びている。これにより表面４２ｂに沿わせたカード３１は、差込口２８に向いて案内される。
【００２６】
図４に示すように、カード３１は、スリット４７を通じて筐体４内に挿入され、差込口２８に差し込まれる。差込口２８に差し込まれたカード３１の未挿入部分３１ｂの大半は、スリット４７よりも手前側に位置するとともに筐体４の外部に位置する。第２の壁部４２は、カード３１の未挿入部分３１ｂの大半に筐体内側から対向する。第２の壁部４２の表面４２ｂは、カード３１に沿って延びるとともに、カード３１を支持している。
【００２７】
図２および図３に示すように、第２の壁部４２の手前側には、第３の壁部４３が設けられている。第３の壁部４３は、第１の壁部４１とは反対側から第２の壁部４２に隣接するとともに、カード３１の挿抜方向に沿って延びている。第３の壁部４３は、筐体４の外壁の一部を形成している。第３の壁部４３は、筐体４の外面としての表面４３ｂを有する。第２の壁部４２の表面４２ｂは、第３の壁部４３の表面４３ｂに略同一面状に連なっている。
【００２８】
カード３１の挿抜方向に沿って第３の壁部４３と第２の壁部４２とを合わせた長さＬ１は、例えばカード３１の長手方向の長さＬ２よりも大きく形成されている。第３の壁部４３は、下壁４ｃの周縁まで達するとともに、筐体４の周壁４ｂに繋がっている。
【００２９】
図２および図４に示すように、ポータブルコンピュータ１は、筐体４に着脱自在に取り付けられる蓋部材４５を備える。筐体４に取り付けられた蓋部材４５は、第２の壁部４２とは反対側からカード３１の未挿入部分３１ｂに対向するとともに、筐体４の外部に露出したカード３１およびスリット４７を覆う。蓋部材４５は、カード３１に対向する内面４５ａを有する。蓋部材４５の内面４５ａには、電磁波対策が施されていない。
【００３０】
次に、ポータブルコンピュータ１の作用について説明する。  
カードスロット２２にカード３１を装着する時は、まずカード３１を第２の壁部４２の表面４２ｂに沿わせる。カード３１を第２の壁部４２に沿わせた状態で、例えば指先などでカード３１を第２の壁部４２に押し付けながら、カード３１を差込口２８に向けて滑らせる。滑らせたカード３１は、第２の壁部４２の表面４２ｂに案内されて、スリット４７を通じて差込口２８に差し込まれる。
【００３１】
カードスロット２２からカード３１を取り外す時は、筐体４の外部に露出したカード３１の未挿入部分３１ｂを第２の壁部４２の表面４２ｂに押し付けながら、カード３１を差込口２８から離れる向きに滑らせる。第２の壁部４２に押し付けられたカード３１は、第２の壁部４２の表面４２ｂに案内されて、差込口２８から抜き出される。
【００３２】
このような構成のポータブルコンピュータ１によれば、筐体４の外部に漏れる不要電磁波を抑制するとともに、カード３１の挿抜性が向上する。すなわち筐体４の一部にカード３１を案内するガイド壁部である第２の壁部４２を形成すると、差込口２８を筐体４の外部に露出させるための開口部を比較的小さく形成しても、筐体４内に収容されたカードスロット２２に対してカード３１をスムーズに装着することができる。筐体４に開口する開口部の大きさを小さくするとともに筐体４の内面に導電層９を設けると、筐体４の外部に漏れる不要電磁波の量を抑えることができる。
【００３３】
換言すれば、差込口２８に差し込まれたカード３１の未挿入部分３１ｂに対向する領域まで筐体４の一部を設けるとともに、その延びた部分の内面４２ａにも導電層９を形成すると、筐体４の外部に漏れる不要電磁波を抑制することができるといえる。
【００３４】
また、蓋部材４５を取り外した時にポータブルコンピュータ１の最外面となる第２の壁部４２は、ユーザーにとって最もアクセスしやすい部位の一つである。ユーザーは、カード３１を第２の壁部４２に沿わせて滑らすだけでカード３１を筐体４内に実装されたカードスロット２２へ装着することができる。これは、カード３１の挿抜性が高いといえる。さらに筐体４の一部をガイドとすることで、筐体４内に別途ガイド部材を備える必要がなくなり、部品点数の削減および小型化の観点で有利である。
【００３５】
第１の壁部４１は、必ずしも必要ではない。なお、筐体４がカードスロット２２を覆う第１の壁部４１を備えると、筐体４に開口する開口部の大きさをさらに小さく設定することができる。これにより、筐体４の外部に漏れる不要電磁波の量をさらに抑えることができる。
【００３６】
第１の壁部４１と第２の壁部４２とは互いに略平行に延びるとともに、スリット２８が第１の壁部４１と第２の壁部４２との段差によって形成されていると、下壁４ｃの全体を略平坦に形成することができるので、ポータブルコンピュータ１の小型化に有利である。第２の壁部４２の表面４２ｂがスリット４７の縁まで延びていると、カード３１を筐体４の内部までスムーズに案内することができる。
【００３７】
本実施形態のように、筐体４の外壁の一部である第３の壁部４３の表面４３ｂに第２の壁部４２の表面４２ｂが同一面状に連続していると、第２の壁部４２の上を滑らせたカード３１をそのまま筐体４の外壁に沿って滑らせることができる。これにより、第２の壁部４２の周囲に例えば指掛けなどの構造を設けることなくカード３１を取り出すことができる。指掛けのような製品内部に向かった突起を作らなくてすむと、製品高さを抑えることができる。また第３の壁部４３の表面４３ｂに第２の壁部４２の表面４２ｂが同一面状に連続していると、カード３１を第２の壁部４２に沿わせやすくなり、カード３１の挿入性も向上する。
【００３８】
例えば差込口２８に差し込まれたカード３１の未挿入部分３１ｂが筐体４の外部に露出していてもよい場合は、蓋部材４５を省略することができる。なお、カード３１を覆う蓋部材４５が設けられていると、カード３１を保護することができるので好ましい。
【００３９】
蓋部材４５は、差込口２８を外部に露出させるための開口部を閉じる部材である。この差込口２８を外部に露出させるための開口部がある程度大きく形成されていると、この開口部からの電磁波の漏れが大きく、蓋部材４５の内面４５ａに導電層を設けるなどの電波対策が必要となる。筐体４の内面６ａ，７ａに導電層９を設けることに加えて蓋部材４５の内面４５ａに電波対策を施す必要があると、ポータブルコンピュータ１の製造性があまり高いとはいえない。
【００４０】
一方、ポータブルコンピュータ１のように、カード３１の未挿入部分３１ｂに対向する第２の壁部４２を設けるとともに、この第２の壁部４２の内面４２ａに導電層９を形成することで、蓋部材４５に電波対策を施すことを省略することができる。第２の壁部４２の内面４２ａは、筐体ベース７の他の領域と一体に導電層９を設けることができるので、ポータブルコンピュータ１の製造性が高いといえる。
【００４１】
次に、本発明の第２の実施形態に係る電子機器としてのポータブルコンピュータ５１について、図６および図７を参照して説明する。なお第１の実施形態に係るポータブルコンピュータ１と同様の機能を有する構成は、同一の符号を付してその説明を省略する。
【００４２】
図６に示すように、ポータブルコンピュータ５１は、傾斜部５２を備える。傾斜部５２は、差込口２８とは反対側の第２の壁部４２の端部において、差込口２８に差し込まれたカード３１を外れる領域に設けられている。詳しくは、傾斜部５２は、上記カード３１の挿抜方向に沿ってカード３１の未挿入部分３１ｂの端部３１ｃよりも差込口２８から離れた領域に設けられている。
【００４３】
傾斜部５２は、筐体４の外側に向いて盛り上がる隆起であり、差込口２８から離れる方向に進むに従い筐体４の外側に徐々に盛り上がる。傾斜部５２の表面５２ｂは、例えば第２の壁部４２の表面４２ｂに連続する円弧状の面を有する。傾斜部５２は、例えば第２の壁部４２の幅方向（すなわちカード３１の挿抜方向とは直交する方向）に沿って第２の壁部４２の幅Ｗ１と略同じ長さに亘って設けられている。ただし傾斜部５２は、第２の壁部４２の幅方向の一部に設けられてもよい。
【００４４】
カード３１は、第１の実施形態で説明したカードの中で、適度な弾性を有するカードである。すなわち本実施形態に係るカード３１は、軽く曲げることが可能であるとともに力を除去すると元に戻る性質を備える。
【００４５】
このような構成のポータブルコンピュータ５１によれば、第１の実施形態と同様に、筐体４の外部に漏れる不要電磁波を抑制するとともに、カード３１の挿抜性を向上させることができる。
【００４６】
ポータブルコンピュータ５１が傾斜部５２を備えると、カード３１の挿抜性がさらに向上する。すなわち、カードスロット２２からカード３１を取り外す時、カード３１の未挿入部分３１ｂを第２の壁部４２に押し付けながら、カード３１を差込口２８から離れる向きに滑らせる。図７に示すように、差込口２８から離れる方向にある程度滑らせたカード３１は、傾斜部５２に乗り上げて、筐体４の外側に折れ曲がる。これにより、カード３１の手前側の端部３１ｃが筐体４の下壁４ｃから浮いた状態となり、カード３１の端部３１ｃと下壁４ｃとの間に指を入れる隙間ができる。ユーザーは、下壁４ｃから離間したカード３１の端部３１ｃを指で摘むことで、容易にカード３１をさらに抜き出すことができる。
【００４７】
傾斜部５２の表面５２ｂが第２の壁部４２の表面４２ｂに連続していると、カード３１が傾斜部５２にスムーズに乗り上げるため、カード３１がより抜き出しやすい。  
ポータブルコンピュータ５１が傾斜部５２を備えると、カード３１が取り出しやすくなるので、カードスロット２２の設置位置の自由度を広げることができる。さらに指掛けなどを作らなくてもすむので、製品内部に向かった突起を作らなくてすみ、製品高さを抑えることができる。
【００４８】
傾斜部５２がカードスロット２２に装着されたカード３１を外れた領域に設けられていると、カード３１の装着時にカード３１が筐体４の外側に折れ曲がることがないので、製品高さを抑えることができる。
【００４９】
次に、本発明の第３の実施形態に係る電子機器としてのポータブルコンピュータ６１について、図８を参照して説明する。なお第１および第２の実施形態に係るポータブルコンピュータ１，５１と同様の機能を有する構成は、同一の符号を付してその説明を省略する。
【００５０】
図８に示すように、ポータブルコンピュータ６１は、傾斜部５２を備える。傾斜部５２は、差込口２８に差し込まれたカード３１の未挿入部分３１ｂに重なる領域に設けられている。
【００５１】
このような構成のポータブルコンピュータ６１によれば、第２の実施形態と同様に、筐体４の外部に漏れる不要電磁波を抑制するとともに、カード３１の挿抜性を向上させることができる。傾斜部５２が差込口２８に差し込まれたカード３１に重なる領域に設けられていると、カード３１の挿抜方向に沿った第２の壁部４２の長さを詰めることができる。
【００５２】
以上、本発明の第１ないし第３の実施形態について説明したが、本発明はこれらに限定されるものではなく、発明の主旨を逸脱しない範囲で種々変形して実施可能である。  
例えばカードスロット２２を露出させる開口部（すなわちスリット４７）および第２の壁部４２が設けられる箇所は、筐体４の下壁４ｃに限らず、ある程度平坦な壁面が続く領域であれば、その場所は問わない。スリット４７および第２の壁部４２は、例えばキーボード５が載置されるキーボード載置部の底壁に設けてもよい。
【００５３】
第１の壁部４１を筐体４の外側に膨らむように形成するとともに、第２の壁部４２を筐体４の外壁の大部分と同一面状に形成する必要は必ずしもなく、第１の壁部４１を筐体４の外壁の大部分と同一面状に形成するとともに、第２の壁部４２を筐体４の内側に窪ませて形成してもよい。なお、第１の壁部４１を筐体４の外側に膨らむように形成するとともに、第２の壁部４２を筐体４の外壁の大部分と同一面状に形成されていると、カード３１を大きく折り曲げることなく筐体４内に実装されたカードスロット２２に挿抜することができるので、カード３１の挿抜性が高いといえる。
【図面の簡単な説明】
【００５４】
【図１】本発明の第１の実施形態に係るポータブルコンピュータの斜視図。
【図２】図１中に示されたポータブルコンピュータの下壁を示す斜視図。
【図３】図１中に示されたポータブルコンピュータの蓋部材を取り外した状態を示す断面図。
【図４】図１中に示されたポータブルコンピュータのカードを装着した状態を示す断面図。
【図５】図１中に示されたポータブルコンピュータのカードを抜き出す状態を示す断面図。
【図６】本発明の第２の実施形態に係るポータブルコンピュータのカードを装着した状態を示す断面図。
【図７】図６中に示されたポータブルコンピュータのカードを抜き出す状態を示す断面図。
【図８】本発明の第３の実施形態に係るポータブルコンピュータのカードを装着した状態を示す断面図。
【符号の説明】
【００５５】
１，５１，６１…ポータブルコンピュータ、４…筐体、４ｃ…下壁、９…導電層、２１…プリント回路板、２２…カードスロット、２６…電子部品、２８…差込口、３１…カード、３１ａ…カードの一端部、４１…第１の壁部、４２…第２の壁部、４３…第３の壁部、４５…蓋部材、４７…スリット、５２…傾斜部。
【図１】
2008276518.tif 000003
【図２】
2008276518.tif 000004
【図３】
2008276518.tif 000005
【図４】
2008276518.tif 000006
【図５】
2008276518.tif 000007
【図６】
2008276518.tif 000008
【図７】
2008276518.tif 000009
【図８】
2008276518.tif 000010